(57)【要約】      （修正有）【課題】従来のナイロン樹脂またはポリエステル樹脂の歯ブラシ用毛材に比べて適度な柔軟性および高い摩擦係数を有すると共に、歯垢除去などの清掃効果および歯茎に対するマッサージ効果などの使用感に優れた歯ブラシ用毛材および歯ブラシを提供する。【解決手段】芯部２がＪＩＳ−Ｋ−７２１５に規定されるプラスチックのデュロメータタイプＤ硬さ試験法で測定したショアＤ硬度が５０Ｄ〜７５Ｄのポリエステル系エラストマー、鞘部３がポリエステル系樹脂よりそれぞれ構成される芯鞘複合モノフィラメントからなるカットブリッスル５の少なくとも一端に、先端０ｍｍ部位における直径ｄと、最大径部における直径Ｄとの関係ｄ／Ｄ×１００が１５〜４５％となる非先鋭テーパー部４を有する。【選択図】図１
2013226172.tif 000002
【特許請求の範囲】
【請求項１】
芯部がＪＩＳ−Ｋ−７２１５（１９８６）に規定されるプラスチックのデュロメータタイプＤ硬さ試験法で測定したショアＤ硬度が５０Ｄ〜７５Ｄのポリエステル系エラストマー、鞘部がポリエステル系樹脂よりそれぞれ構成される芯鞘複合モノフィラメントからなるカットブリッスルの少なくとも一端に、先端０ｍｍ部位における直径ｄと、最大径部における直径Ｄとの関係ｄ／Ｄ×１００が１５〜４５％となる非先鋭テーパー部を有することを特徴とする歯ブラシ用毛材。
【請求項２】
前記カットブリッスルを最大径部で繊維軸方向に垂直に切断した断面における芯鞘断面積比率が、芯部／鞘部＝６５〜９５％／３５〜５％であることを特徴とする請求項１に記載の歯ブラシ用毛材。
【請求項３】
請求項１または２記載の歯ブラシ用毛材を少なくとも一部に使用したことを特徴とする歯ブラシ。
【発明の詳細な説明】
【技術分野】
【０００１】
本発明は、適度な柔軟性および高い摩擦係数を有すると共に、歯垢除去などの清掃効果および歯茎に対するマッサージ効果などの使用感に優れた歯ブラシ用毛材および歯ブラシを提供するものである。
【背景技術】
【０００２】
従来、合成樹脂製の歯ブラシ用毛材においては、容易に加工可能なナイロンやポリエステルなどの合成樹脂製毛材が多用されてきた。
【０００３】
このような合成樹脂製歯ブラシ用毛材の清掃効果およびマッサージ効果などを改良するための手段としては、これまでに様々な手法が検討されており、例えば、熱可塑性エラストマーから形成された剛毛を使用した歯肉マッサージ用口腔ブラシ（例えば、特許文献１参照）が知られているが、この口腔ブラシ用毛材は、毛材の硬さがナイロン、ポリエステル樹脂で形成されている歯ブラシ毛材より劣るために、歯磨きをする上では毛腰が柔らかすぎて、歯垢除去などの清掃効果が依然として劣るという問題があった。
【０００４】
上記の欠点を補うものとしては、ポリエステル系樹脂およびポリエステル系エラストマーを混合した樹脂組成物を溶融紡糸したモノフィラメントからなる歯ブラシ用毛材（例えば、特許文献２参照）が知られているが、この歯ブラシ用毛材は、エラストマーを混合することにより適度な柔軟性を備え、歯間挿入性の向上が可能であるという利点を有する反面、ナイロン製の歯ブラシ毛材に比べてやや毛腰が強くなるために、歯ブラシとしての使用感がやや劣るという問題があった。
【０００５】
また、テーパー状刷毛として、最大径部の太さが０．１４〜０．２６ｍｍで、該最大径部から先端方向に向かって連続的もしくは、ほぼ連続的に断面積が小さくなるテーパー形状が付され、かつ、先端から０．１ｍｍ位置の先端径が０．０３〜０．０９ｍｍ、先端から８ｍｍの位置の最大径が刷毛の最大径部に対して８０〜９８％とされたテーパー状刷毛（例えば、特許文献３参照）が知られているが、この毛材を使用し歯ブラシとして使用した場合には、歯間部や歯頸部、歯間三角部への毛先到達性向上が可能であるという利点があるものの、ポリエステル樹脂を使用していることから、毛材の剛性が高く、毛腰が強くなるために、歯ブラシとしての使用感に劣るという問題があった。
【０００６】
さらには、合成繊維を用いた工業用ブラシの分野においては、ポリブチレンテレフタレートとポリエステル系エラストマーとの混合物を素材とするブラシ用毛材（例えば、特許文献４参照）が知られているが、この毛材をそのまま歯ブラシに使用した場合には、耐久性が不十分なばかりか、歯の清掃性が劣り、使用感を十分満足するにはいたらなかった。
【０００７】
つまり、従来技術による合成樹脂性毛材では、歯ブラシ用毛材とした場合に異物を除去することは可能であるが、歯ブラシの使用感としての性能を十分に発揮せず、これらの特性を全て満足する歯ブラシ用毛材の実現が強く求められているのが実状であった。
【先行技術文献】
【特許文献】
【０００８】
【特許文献１】特許第４１１２００２号公報
【特許文献２】特開２００４−２９８３２８号公報
【特許文献３】特開２００４−２０８８１６号公報
【特許文献４】特開昭６１−０９０８７７号公報
【発明の概要】
【発明が解決しようとする課題】
【０００９】
本発明は上述した従来技術における問題点の解決を課題として検討した結果達成されたものである。
【００１０】
したがって、本発明の目的は、従来のナイロン樹脂またはポリエステル樹脂の歯ブラシ用毛材に比べて適度な柔軟性および高い摩擦係数を有すると共に、歯垢除去などの清掃効果および歯茎に対するマッサージ効果などの使用感に優れた歯ブラシ用毛材および歯ブラシを提供することにある。
【課題を解決するための手段】
【００１１】
上記目的を達成するため本発明によれば、芯部がＪＩＳ−Ｋ−７２１５に規定されるプラスチックのデュロメータタイプＤ硬さ試験法で測定したショアＤ硬度が５０Ｄ〜７５Ｄのポリエステル系エラストマー、鞘部がポリエステル系樹脂よりそれぞれ構成される芯鞘複合モノフィラメントからなるカットブリッスルの少なくとも一端に、先端０ｍｍ部位における直径ｄと、最大径部における直径Ｄとの関係ｄ／Ｄ×１００が１５〜４５％となる非先鋭テーパー部を有することを特徴とする歯ブラシ用毛材が提供される。
【００１２】
なお、本発明の歯ブラシ用毛材おいては、前記カットブリッスルを最大径部で繊維軸方向に垂直に切断した断面における芯鞘断面積比率が、芯部／鞘部＝６５〜９５％／３５〜５％であることが、好ましい条件として挙げられ、この条件を満たした場合には、さらに優れた性能を発揮する。
【００１３】
また、本発明の歯ブラシ製品は、前記歯ブラシ用毛材を少なくとも一部に使用したことを特徴とする。
【発明の効果】
【００１４】
本発明によれば、以下に説明するとおり、従来のナイロン樹脂またはポリエステル樹脂の歯ブラシ用毛材に比べて適度な柔軟性および高い摩擦係数を有すると共に、歯ブラシ用毛材の先端側に形成した非先鋭テーパー部により、歯垢除去などの清掃効果および歯茎に対するマッサージ効果などの使用感に優れた歯ブラシ用毛材および歯ブラシを得ることができる。
【図面の簡単な説明】
【００１５】
【図１】（ａ）は本発明のブラシ用毛材の一例を示した斜視図であり、同じく（ｂ）はブリッスルを最大径部で繊維軸方向に垂直に切断した断面（Ｘ−Ｘ′）の拡大図である。
【発明を実施するための形態】
【００１６】
以下、本発明の歯ブラシ用毛材について図面に従って説明する。
【００１７】
図１（ａ）は本発明の歯ブラシ用毛材の一例を示した斜視図であり、１は歯ブラシ用毛材、２は芯部、３は鞘部、４は非先鋭テーパー部を示す。同じく図１（ｂ）はブリッスルを最大径部で繊維軸方向に垂直に切断した断面（Ｘ−Ｘ′）の拡大図である。
【００１８】
すなわち、本発明の歯ブラシ用毛材１は、芯部２がＪＩＳ−Ｋ−７２１５（１９８６）に規定されるプラスチックのデュロメータタイプＤ硬さ試験法で測定したショアＤ硬度が５０Ｄ〜７５Ｄのポリエステル系エラストマー、鞘部３がポリエステル系樹脂よりそれぞれ構成される芯鞘複合モノフィラメントからなるカットブリッスル５の少なくとも一端に、先端部６から０ｍｍ部位における直径ｄと、最大径部における直径Ｄとの関係ｄ／Ｄ×１００が１５〜４５％となる非先鋭テーパー部４を有することを特徴としている。なお、以降、「ＪＩＳ−Ｋ−７２１５（１９８６）」を「ＪＩＳ−Ｋ−７２１５」と略記する。
【００１９】
かかる構成からなる本発明の歯ブラシ用毛材においては、芯部２の素材として、ＪＩＳ−Ｋ−７２１５に規定されるプラスチックのデュロメータタイプＤ硬さ試験法で測定したショアＤ硬度が５０Ｄ〜７５Ｄ、さらに好ましくは５５Ｄ〜６５Ｄのポリエステル系エラストマーが用いられる。
【００２０】
ポリエステル系エラストマーは、基本的にハードセグメント（樹脂成分）とソフトセグメント（ゴム成分）で構成されており、ソフトセグメント（ゴム成分）の比率が多くなることで、樹脂の柔軟性および摩擦係数が高くなる。また、ハードセグメント（樹脂成分）比率が多くなることで、樹脂の剛性が高くなる。
【００２１】
ショアＤ硬度が上記範囲であれば、ポリエステル系エラストマー中のハードセグメント（樹脂成分）とソフトセグメント（ゴム成分）とのバランスが良く、歯ブラシ用毛材として要求される、強度、耐久性、反発弾性、屈曲疲労性の特性が良好となる。
【００２２】
ショアＤ硬度が７５Ｄを超える場合はハードセグメント（樹脂成分）比率が多くなることで、樹脂の剛性が高くなり、歯茎へ与える刺激が増すことで、歯ブラシとしてのマッサージ効果が低下しやすい。
【００２３】
また、ショアＤ硬度が５０Ｄ未満の場合はソフトセグメント（ゴム成分）の比率が多くなり、樹脂の柔軟性が高くなり、歯ブラシとして要求される弾性が不足することから、歯茎へ与える刺激が低下することから、歯ブラシとしてのマッサージ効果が低下しやすい。
【００２４】
鞘部３を構成するポリエステル系樹脂の具体例としては、ポリエチレンテレフタレート、ポリブチレンテレフタレート、ポリトリメチレンテレフタレート、ポリエチレンナフタレート、ポリブチレンナフタレート等が挙げられ、それぞれ一種または二種以上が用いられる。かかる樹脂の選択あるいは組み合わせは歯ブラシ用毛材の用途、目的に応じて適宜行われる。この中でも、ポリエチレンテレフタレート、ポリブチレンテレフタレート、ポリトリメチレンテレフタレートがブラシとして要求される高弾性、耐摩耗性、屈曲回復性等の特性が良好であることから好ましく用いられる。
【００２５】
本発明の歯ブラシ用毛材１においては、歯ブラシ用毛材１を構成するカットブリッスル５の少なくとも一端に非先鋭テーパー部４を有することが必要である。ここで、非先鋭テーパー部４を形成する方法としては、酸やアルカリ溶解法などの化学的溶解処理を採用することができ、かかる方法を用いた場合、薬液の濃度、薬液の温度、薬液への浸漬深さ、および浸漬時間などを適宜調整することにより、カットブリッスル５の少なくとも一端に、特定の形状のとなるように、非先鋭テーパー部４を形成することができる。かかる非先鋭テーパー部４の形状としては、先端部６から０ｍｍ部位における直径ｄと、最大径部における直径Ｄとの関係ｄ／Ｄ×１００が１５〜４５％であり、２０〜４０％であることが好ましい。ｄ／Ｄ×１００が４５％を超える場合は、非先鋭テーパー部の剛性が増大することから、歯茎へ与える刺激が増すことで、歯ブラシとしてのマッサージ効果が低下しやすい。また、１５％未満の場合は、非先鋭テーパー部の剛性が低下し、歯茎へ与える刺激が低下することから、歯ブラシとしてのマッサージ効果が低下しやすい。
【００２６】
なお、非先鋭テーパー部４の長さは、歯ブラシの種類や用途に応じて適宜変えることができ、特に限定するものではない。
【００２７】
本発明の歯ブラシ用毛材１は、従来の芯鞘複合モノフィラメントのカットブリッスルからなる歯ブラシ用毛材に比べて、化学的溶解処理により露出した、芯部２を構成するポリエステル系エラストマーの高い摩擦係数によって、優れた清掃性を保持することができると共に、鞘部３を構成するポリエステル系樹脂の高弾性、屈曲回復性の特性により、優れた耐久性を保持しつつ、先端から０ｍｍの部位における直径ｄと、最大径部における直径Ｄとの関係ｄ／Ｄ×１００を１５〜４５％としたことにより、優れた毛腰と共に歯茎のマッサージ効果が発現できる。
【００２８】
本発明の歯ブラシ用毛材１を構成する芯鞘複合モノフィラメントを最大径部で繊維軸方向における芯部２の断面積比率は６５〜９５％であることが望ましい。さらに好ましくは８０〜９０％である。芯部が９５％を上回る場合は、鞘部３の断面積比率が低くなって、歯ブラシとしての毛腰、剛性が不足しやすくなることから清掃性が低下しやすい。さらには、歯ブラシとしての毛材の回復性、耐久性が不足しやすい。
【００２９】
また、６５％未満であると、芯部２の断面積比率が低下することで、歯ブラシとして使用した場合に、芯部２の硬さが柔らかくなり、鞘部３の断面積比率が増えることから剛性が増して、歯ブラシとして使用した場合のマッサージ効果が低下しやすい。
【００３０】
本発明の歯ブラシ用毛材１を最大径部で繊維軸方向に切断した断面に形成されている断面形状は、特に制限するものではなく、具体的には、円形、または、四角形、六角形などの多角形、さらには、四葉形、六葉形、八葉形などの多葉形などが挙げられるが、歯ブラシ用毛材には耐久性および清掃性が要求されるため、そのバランスに優れるとの理由から、中でも円形断面形状であることが好ましい。
【００３１】
本発明の歯ブラシ用毛材１に使用するモノフィラメントの直径は、０．１００ｍｍ以上０．５００ｍｍ未満であることが望ましい。さらに、好ましくは０．１５０ｍｍ以上０．３５０ｍｍ未満である。
【００３２】
直径が０．１００ｍｍ以下であると、細部への挿入性、到達性は良好であるが、歯ブラシとして使用した場合の歯ブラシ用毛材の毛腰が柔軟になるため清掃性に劣りやすく、また、直径が０．５００ｍｍ以上であると、芯部単体の直径が太くなることから芯部の毛腰が硬くなり、細部への挿入性、到達性が劣り、清掃性が低下するばかりか、清掃対象物へキズを付けることになり、歯ブラシ性能が低下する傾向となる場合がある。
【００３３】
また、本発明の目的を阻害しない範囲であれば、上記のポリエステル系エラストマーおよびポリエステル系樹脂には、耐熱剤、帯電防止剤、紫外線吸収剤、可塑剤、酸化防止剤、抗菌剤、蛍光増白剤、耐候剤、染料および顔料などの慣用の各種添加剤が含まれていてもよい。
【００３４】
さらにまた、上記添加剤と共に研磨剤または磨き剤、具体的には、クレー、シリカ、炭酸カルシウムまたはアパタイトおよびそれらの混合物が含まれていてもよい。
【００３５】
上記歯ブラシ用毛材１を毛材の少なくとも一部に使用した本発明の歯ブラシは、公知の方法にて製造することができ、歯ブラシ自体の製造方法については特に限定されない。
【００３６】
以上、説明したとおり、本発明の歯ブラシ用毛材１は、従来のナイロン樹脂またはポリエステル樹脂の歯ブラシ用毛材に比べて適度な柔軟性および高い摩擦係数を有すると共に、歯ブラシ用毛材の先端側に形成した非先鋭テーパー部により、歯垢除去などの清掃効果および歯茎に対するマッサージ効果などの使用感に優れた特性をも兼ね備えたものである。
【００３７】
そして、本発明の歯ブラシ用毛材１を少なくとも一部に使用した歯ブラシは、これらの特性を十分発揮し、その実用性が極めて高いものである。
【実施例】
【００３８】
以下、本発明を実施例に基づいて説明するが、本発明はその要旨を越えない限り、以下の実施例に何ら限定されるものではない。なお、本発明の歯ブラシ用毛材の評価方法については、次の通り行った。すなわち、実施例に示すブラシ用毛材を３０穴の歯ブラシハンドルに毛丈１３ｍｍになるよう処理したブラシ用毛材を植毛して歯ブラシを作製しこの歯ブラシについて以下の評価を実施した。
【００３９】
〔清掃性評価〕
上記の歯ブラシを使用し、この歯ブラシに対して摺動面裏側から垂直に２００ｇの荷重をかけて、仮想汚れを塗布したステンレス製波板に対して、振幅１４ｍｍ、スピード１５０ｒｐｍで３００回摺動させ、仮想汚れの除去率を測定した。汚れ除去率は波板凸部表面について算出した。
【００４０】
除去率が８０％以上を○、５０％以上８０％未満を△、５０％未満を×とする。
【００４１】
〔耐久性評価〕
清掃性評価と同じ仕様の歯ブラシを作製し、この歯ブラシに対して摺動面裏側から垂直に５００ｇの荷重を掛け、３７℃の温水を滴下させた状態でステンレス製の波板に対して歯ブラシの長手方向に２万回摺動運動させ、ブラシ部の毛開き率（Ｋ）を測定した。毛開き率の算出方法は、初期状態におけるブラシ部摺動面の横幅Ａｍｍ、摺動後の横幅Ｂｍｍとしたとき、Ｋ＝（Ｂ−Ａ）／Ａ×１００（％）とした。
【００４２】
毛開き率が３０％未満を○、３０％以上５０％未満を△、５０％以上を×とする。
【００４３】
〔歯茎マッサージ効果〕
歯茎マッサージ効果は２０名のモニターを対象とし、歯ブラシを実際に１４日間使用した場合の使用感、特に歯茎のマッサージ効果評価を依頼し、回答を得た。評価基準は次の通りである。
【００４４】
１／毛材の歯肉への当たりでチクチク感があり、歯茎のマッサージ効果もなかった、
２／毛材の歯肉への当たりは良好であるが、歯茎のマッサージ効果は小さかった、
３／毛材の歯肉への当たりは良好で、歯茎のマッサージ効果も優れていた、
４／毛材の歯肉への当たりが極めて良好で、歯茎のマッサージ効果も極めて優れていた。
【００４５】
〔実施例１〕
芯部構成樹脂としてポリエステル系エラストマー（デュポン（株）製“ハイトレル”（登録商標）６３４７、ショアＤ硬度：６３Ｄ）、鞘部構成樹脂としてポリエステル系樹脂（固有粘度１．２８：ポリエチレンテレフタレート樹脂、以下、ＰＥＴという）を用い、複合溶融紡糸機に供給し、芯部が鞘部内に内在したノズルから、芯部断面積比率８０％、鞘部断面積比率２０％にて溶融押出し、直ちに３０℃の水中で冷却し、続いて５５℃の温水、さらに１００℃の乾熱下で４．１倍に延伸した後、乾熱雰囲気中で弛緩熱処理を行った。このようにして得られた直径Ｄが０．１９０ｍｍの円形芯鞘複合モノフィラメントを束状に巻き取った。
【００４６】
次に、巻き取られた束状の芯鞘複合モノフィラメントの周囲に紙テープを巻いて直径４３ｍｍの毛束とし、さらに３０ｍｍの長さに切断し、カットブリッスルを得た。
【００４７】
得られたカットブリッスルの先端を加温した苛性ソーダに浸漬して、溶解処理を行ない、先端０ｍｍ部位における直径ｄが０．０３０ｍｍ、先端０ｍｍ部位における直径ｄと、最大径部における直径Ｄとの関係ｄ／Ｄ×１００が１５％の非先鋭テーパー部を形成し、歯ブラシ用毛材を得た。
【００４８】
得られた歯ブラシ用毛材を使用して歯ブラシを作製し、特性の評価を実施した結果を表１に示した。なお表中に登録商標の表示は省略する。（以降の実施例比較例も同様とする）
〔実施例２〕
実施例１において、鞘部構成樹脂をポリエステル系樹脂（固有粘度１．１８：ポリブチレンテレフタレート、以下ＰＢＴという）に変更した以外は、同様の方法で歯ブラシ用毛材を作製した。
【００４９】
得られた歯ブラシ用毛材を使用して歯ブラシを作製し、特性の評価を実施した結果を表１に示した。
【００５０】
〔実施例３〕
実施例１において、芯部構成樹脂をポリエステル系エラストマー（東レ・デュポン（株）製“ハイトレル”（登録商標）５５５７、ショアＤ硬度：５５Ｄ）に変更し、芯部断面積比率７０％、鞘部断面積比率３０％に変更し、先端０ｍｍ部位における直径ｄが０．０５７ｍｍ、先端０ｍｍ部位における直径ｄと、最大径部における直径Ｄとの関係ｄ／Ｄ×１００が３０％の非先鋭テーパー部にそれぞれ変更した以外は、同様の方法で歯ブラシ用毛材を作製した。
【００５１】
得られた歯ブラシ用毛材を使用して歯ブラシを作製し、特性の評価を実施した結果を表１に示した。
【００５２】
〔実施例４〕
実施例１において、芯鞘複合モノフィラメントの直径Ｄを０．１６０ｍｍに変更し、芯部断面積比率７５％、鞘部断面積比率２５％に変更し、先端０ｍｍ部位における直径ｄが０．０４０ｍｍ、先端０ｍｍ部位における直径ｄと、最大径部における直径Ｄとの関係ｄ／Ｄ×１００が２５％の非先鋭テーパー部にそれぞれ変更した以外は、同様の方法で歯ブラシ用毛材を作製した。
【００５３】
得られた歯ブラシ用毛材を使用して歯ブラシを作製し、特性の評価を実施した結果を表１に示した。
【００５４】
〔比較例１〕
実施例１において、芯部構成樹脂をポリエステル系エラストマー（東レ・デュポン（株）製“ハイトレル”（登録商標）４７６７Ｎ、ショアＤ硬度：４７Ｄ）に変更し、芯部断面積比率７５％、鞘部断面積比率２５％にそれぞれ変更した以外は、同様の方法で歯ブラシ用毛材を作製した。
【００５５】
得られた歯ブラシ用毛材を使用して歯ブラシを作製し、特性の評価を実施した結果を表１に示した。
【００５６】
〔比較例２〕
実施例１において、先端０ｍｍ部位における直径ｄを０．０１９ｍｍ、先端０ｍｍ部位における直径ｄと、最大径部における直径Ｄとの関係ｄ／Ｄ×１００が１０％の非先鋭テーパー部に変更した以外は、同様の方法で歯ブラシ用毛材を作製した。
【００５７】
得られた歯ブラシ用毛材を使用して歯ブラシを作製し、特性の評価を実施した結果を表１に示した。
【００５８】
〔比較例３〕
実施例３において、芯部構成樹脂をポリエステル系樹脂（ＰＥＴ）、鞘部構成樹脂をポリエステル系エラストマー（東レ・デュポン（株）製“ハイトレル”（登録商標）６３４７、ショアＤ硬度：６３Ｄ）に変更し、先端０ｍｍ部位における直径ｄを０．０３０ｍｍ、先端０ｍｍ部位における直径ｄと、最大径部における直径Ｄとの関係ｄ／Ｄ×１００が１５％の非先鋭テーパー部にそれぞれ変更した以外は、同様の方法で歯ブラシ用毛材を作製した。
【００５９】
得られた歯ブラシ用毛材を使用して歯ブラシを作製し、特性の評価を実施した結果を表１に示した。
【００６０】
〔比較例４〕
実施例１において、芯部構成樹脂をポリエステル系樹脂（ＰＢＴ）に変更し、芯部断面積比率１００％に変更し、先端０ｍｍ部位における直径ｄを０．０３８ｍｍ、先端０ｍｍ部位における直径ｄと、最大径部における直径Ｄとの関係ｄ／Ｄ×１００が２０％の非先鋭テーパー部にそれぞれ変更した以外は、同様の方法で歯ブラシ用毛材を作製した。
【００６１】
得られた歯ブラシ用毛材を使用して歯ブラシを作製し、特性の評価を実施した結果を表１に示した。
【００６２】
【表１】
2013226172.tif 000003
【００６３】
表１の結果から、実施例１〜４に示した本発明のブラシ用毛材を使用した歯ブラシは、芯部を断面積比率６５〜９５％のポリエステル系エラストマーにて形成していることにより、毛材が適度な柔軟性を有していることで、鞘部に使用しているポリエステル系樹脂により、優れた清掃性および／または耐久性を有していると共に、良好な使用感をも有しており、実用性の高いものであった。
【００６４】
これに対して、本発明の条件を満足しない歯ブラシ用毛材を使用した歯ブラシは、清掃性および／または耐久性に欠け、さらには使用感に欠けたものとなることが分かる。
【産業上の利用可能性】
【００６５】
本発明の歯ブラシ用毛材は、従来のナイロン樹脂またはポリエステル樹脂の歯ブラシ用毛材に比べて適度な柔軟性および高い摩擦係数を有すると共に、歯ブラシ用毛材の少なくとも一端に形成した非先鋭テーパー部により、歯垢除去などの清掃効果および歯茎に対するマッサージ効果などの使用感に優れた歯ブラシ用毛材および歯ブラシは、これらの特性を充分発揮し、その実用性は極めて高い。
【符号の説明】
【００６６】
１    歯ブラシ用毛材
２    芯部
３    鞘部
４    非先鋭テーパー部
５    カットブリッスル
６    先端部
【図１】
2013226172.tif 000004